(57)【要約】【課題】室外から室内の見通しが良く、天井部分の見栄えが良いガラス壁体とする。【解決手段】天井に設置した上ウインドーガラス支持枠２と、床に設置した下ウインドーガラス支持枠３とに渡ってウインドーガラス４を取り付け、天井に上ウインドーガラス支持枠２と直交して設置した上リブガラス支持枠５と、床に下ウインドーガラス支持枠３と直交して設置した下リブガラス支持枠６とに渡ってリブガラス７を取り付け、ウインドーガラス４の室内側面４ａにリブガラス７の室外側端７ａを接し、前記上ウインドーガラス支持枠２の下面２ａと、上リブガラス支持枠５の下面５ａと天井面１１ａとが面一に連続したガラス壁体で、上ウインドーガラス支持枠２が邪魔にならないので室外から室内の見通しが良く、上リブガラス支持枠５が目立つことがないので天井部分の見栄えが良い。【選択図】図２
2015135003.tif 000002
【特許請求の範囲】
【請求項１】
ウインドー部と補強用リブ部を有したガラス壁体であって、
前記ウインドー部は、天井に設置した上ウインドーガラス支持枠と、床に設置した下ウインドーガラス支持枠と、上ウインドーガラス支持枠と下ウインドーガラス支持枠とに渡って取り付けたウインドーガラスを備え、
前記補強用リブ部は、天井に上ウインドーガラス支持枠と直交して設置した上リブガラス支持枠と、床に下ウインドーガラス支持枠と直交して設置した下リブガラス支持枠と、上リブガラス支持枠と下リブガラス支持枠とに渡って取り付け、ウインドーガラスの室内側面と接するリブガラスを備え、
前記上ウインドーガラス支持枠の下面と、上リブガラス支持枠の下面と、天井面とが面一に連続することを特徴とするガラス壁体。
【請求項２】
前記上リブガラス支持枠は、リブガラスの上縁部を支持する溝を有し、上リブガラス支持枠の長さは、リブガラスの長さよりも長く、天井に設置した上リブガラス支持枠の溝内にリブガラスの上縁部の全長を挿入できるようにした請求項１記載のガラス壁体。
【請求項３】
前記上ウインドーガラス支持枠は下向きに開口した溝を有し、
前記下ウインドーガラス支持枠は、枠本体と押縁とで上向きに開口した溝を有し、
上ウインドーガラス支持枠の溝と下ウインドーガラス支持枠の溝とに渡ってウインドーガラスの上縁部、下縁部が取り付けられ、
前記上リブガラス支持枠は下向きに開口した溝を有し、
前記下リブガラス支持枠は枠本体と押縁とで上向きに開口した溝を有し、
上リブガラス支持枠の溝と下リブガラス支持枠の溝とに渡ってリブガラスの上縁部、下縁部が取り付けられている請求項１又は２記載のガラス壁体。
【請求項４】
前記上ウインドーガラス支持枠の室内側部位に、リブガラスが室内外側方向に移動可能な切欠部を、上ウインドーガラス支持枠の室内側端と溝とに連続して形成し、
前記下ウインドーガラス支持枠の室内側部位に、リブガラスが室内外側方向に移動可能な切欠部を、下ウインドーガラス支持枠の室内側端と溝に連続し形成し、
前記リブガラスの上縁部を上リブガラス支持枠の溝に挿入し、リブガラスの下端を下リブガラス支持枠の枠本体に接した状態で、前記リブガラスを上ウインドーガラス支持枠の切欠部及び下ウインドーガラス支持枠の切欠部に沿ってウインドーガラスまで移動可能とした請求項３記載のガラス壁体。
【請求項５】
前記上リブガラス支持枠における取り付け状態のリブガラスの室内側端よりも室内側方に突出した室内側部位に、リブガラスに負荷する室内側方への力を支持する荷重受け部材を取り付けた請求項４記載のガラス壁体。
【請求項６】
前記上リブガラス支持枠の溝における取り付け状態のリブガラスの室内側端よりも室内側方に突出した室内側部位に、前記荷重受け部材を遮蔽する溝塞ぎ材を取り付けた請求項５記載のガラス壁体。
【請求項７】
前記下リブガラス支持枠における取り付け状態のリブガラスの室内側端より突出した室内側部位に、前記リブガラスに負荷する室内側方への力を支持する荷重受け部材を取り付け、
前記下リブガラス支持枠の室内側部位に、前記荷重受け部材を遮蔽するキャップを取り付けた請求項１〜６いずれか１項記載のガラス壁体。
【発明の詳細な説明】
【技術分野】
【０００１】
本発明は、建物のショーウインドー等のガラスで構成したガラス壁体に関する。
【背景技術】
【０００２】
建物のショーウインドー等の建物の床と天井とに渡ってガラスを取り付け、室外から室内を見え易くしたガラス壁体が特許文献１に開示されている。
このガラス壁体は、建物の床と天井とに渡って取り付けるウインドーガラスと、ウインドーガラスの背面と連続して床と天井とに渡って取り付ける補強用のリブガラスと、床と天井に設置するウインドーガラス支持枠と、床と天井にウインドーガラス支持枠と直交して配置するリブガラス支持枠を備え、床に設置した下のウインドーガラス支持枠と天井に設置した上のウインドーガラス支持枠とに渡ってウインドーガラスを取り付け、床に設置した下のリブガラス支持枠と天井に設置したリブガラス支持枠とに渡ってリブガラスを取り付け、ウインドーガラスの背面、つまり室内側面にリブガラスを防水パッキンを介在して突き当てたものである。
【先行技術文献】
【特許文献】
【０００３】
【特許文献１】実用新案登録第２５１０９４１号公報
【発明の概要】
【発明が解決しようとする課題】
【０００４】
特許文献１に開示したガラス壁体は、上ウインドーガラス支持枠及び上リブガラス支持枠が天井面に設置され、各支持枠が天井面から室内空間に突出している。
このために、室外から室内を見たときにウインドーガラス支持枠のために見通しが悪い。
また、リブガラス支持枠が目立つので、室内の天井部分の見栄えが悪い。
【０００５】
本発明は、前述の課題に鑑みなされたものであり、その目的は、室外から室内を見たときの見通しが良く、室内の天井部分の見栄えが良いガラス壁体とすることである。
【課題を解決するための手段】
【０００６】
本発明は、ウインドー部と補強用リブ部を有したガラス壁体であって、
前記ウインドー部は、天井に設置した上ウインドーガラス支持枠と、床に設置した下ウインドーガラス支持枠と、上ウインドーガラス支持枠と下ウインドーガラス支持枠とに渡って取り付けたウインドーガラスを備え、
前記補強用リブ部は、天井に上ウインドーガラス支持枠と直交して設置した上リブガラス支持枠と、床に下ウインドーガラス支持枠と直交して設置した下リブガラス支持枠と、上リブガラス支持枠と下リブガラス支持枠とに渡って取り付け、ウインドーガラスの室内側面と接するリブガラスを備え、
前記上ウインドーガラス支持枠の下面と、上リブガラス支持枠の下面と、天井面とが面一に連続することを特徴とするガラス壁体である。
【０００７】
本発明のガラス壁体は、前記上リブガラス支持枠は、リブガラスの上縁部を支持する溝を有し、上リブガラス支持枠の長さは、リブガラスの長さよりも長く、天井に設置した上リブガラス支持枠の溝内にリブガラスの上縁部の全長を挿入できるようにできる。
このようにすれば、上リブガラス支持枠を天井に設置した状態で、リブガラスの上縁部の全長を上リブガラス支持枠の溝内に挿入し、リブガラスを溝に沿って室外側方に移動することができるから、リブガラスの取り付けがやり易い。
【０００８】
本発明のガラス壁体は、前記上ウインドーガラス支持枠は下向きに開口した溝を有し、
前記下ウインドーガラス支持枠は、枠本体と押縁とで上向きに開口した溝を有し、
上ウインドーガラス支持枠の溝と下ウインドーガラス支持枠の溝とに渡ってウインドーガラスの上縁部、下縁部が取り付けられ、
前記上リブガラス支持枠は下向きに開口した溝を有し、
前記下リブガラス支持枠は枠本体と押縁とで上向きに開口した溝を有し、
上リブガラス支持枠の溝と下リブガラス支持枠の溝とに渡ってリブガラスの上縁部、下縁部が取り付けられるようにできる。
このようにすれば、上ウインドーガラス支持枠、上リブガラス支持枠を天井に設置し、下ウインドー支持枠、下リブガラス支持枠を床に設置した状態で、ウインドーガラス、リブガラスを取り付けできる。
【０００９】
本発明のガラス壁体は、前記上ウインドーガラス支持枠の室内側部位に、リブガラスが室内外側方向に移動可能な切欠部を、上ウインドーガラス支持枠の室内側端と溝とに連続して形成し、
前記下ウインドーガラス支持枠の室内側部位に、リブガラスが室内外側方向に移動可能な切欠部を、下ウインドーガラス支持枠の室内側端と溝に連続し形成し、
前記リブガラスの上縁部を上リブガラス支持枠の溝に挿入し、リブガラスの下端を下リブガラス支持枠の枠本体に接した状態で、前記リブガラスを上ウインドーガラス支持枠の切欠部及び下ウインドーガラス支持枠の切欠部に沿ってウインドーガラスまで移動可能とすることができる。
このようにすれば、上リブガラス支持枠と下リブガラス支持枠の枠本体とでリブガラスを支持し、リブガラスを室外側に移動してウインドーガラスまで移動できるので、ウインドーガラスが上下ウインドーガラス支持枠の室内側端よりも室外側寄りに取り付けてあっても、リブガラスの室外側端をウインドーガラスの室内側面に接することができる。
【００１０】
本発明のガラス壁体は、前記上リブガラス支持枠における取り付け状態のリブガラスの室内側端よりも室内側方に突出した室内側部位に、リブガラスに負荷する室内側方への力を支持する荷重受け部材を取り付けることができる。
このようにすれば、ウインドーガラスの耐風圧強度を一層強いものとすることができる。
【００１１】
本発明のガラス壁体は、前記上リブガラス支持枠の溝における取り付け状態のリブガラスの室内側端よりも室内側方に突出した室内側部位に、前記荷重受け部材を遮蔽する溝塞ぎ材を取り付けできる。
このようにすれば、溝及び荷重受け部材が見えないので、見栄えが良い。
【００１２】
本発明のガラス壁体は、前記下リブガラス支持枠における取り付け状態のリブガラスの室内側端より突出した室内側部位に、前記リブガラスに負荷する室内側方への力を支持する荷重受け部材を取り付け、
前記下リブガラス支持枠の室内側部位に、前記荷重受け部材を遮蔽するキャップを取り付けできる。
このようにすれば、ウインドーガラスの耐風圧強度を一層強くでき、荷重受け部材が見えないので見栄えが良い。
【発明の効果】
【００１３】
本発明によれば、上ウインドーガラス支持枠が室外から室内を見たときの妨げにならないので、室外から室内を見たときの見通しが良い。
上リブガラス支持枠が天井から突出しないから、室内の天井部分の見栄えが良い。
【図面の簡単な説明】
【００１４】
【図１】ガラス壁体の概略内観図である。
【図２】図１のＡ−Ａ拡大詳細断面図である。
【図３】上ウインドーガラス支持枠と上リブガラス支持枠の分解斜視図である。
【図４】下ウインドーガラス支持枠と下リブガラス支持枠の分解斜視図である。
【図５】図２のＢ−Ｂ断面図である。
【図６】下リブガラス支持枠の分解斜視図である。
【図７】図２のＣ−Ｃ断面図である。
【図８】上リブガラス支持枠の室内側部位の断面図である。
【図９】下リブガラス支持枠の室内側部位の断面図である。
【発明を実施するための形態】
【００１５】
図１を参照してガラス壁体の概略を説明する。
ガラス壁体１は、ウインドー部１ａと補強用リブ部１ｂを有している。
ウインドー部１ａは、天井に設置する上ウインドーガラス支持枠（上枠）２と、床に設置する下ウインドーガラス支持枠（下枠３）と、上ウインドーガラス支持枠２と下ウインドーガラス支持枠３とに渡って取り付けたウインドーガラス４を備えている。
補強用リブ部１ｂは、天井に設置された上ウインドーガラス支持枠２と直交して天井に設置する上リブガラス支持枠５と、床に設置された下ウインドーガラス支持枠３と直交して床に設置する下リブガラス支持枠６と、上リブガラス支持枠５と下リブガラス支持枠６とに渡って取り付けたリブガラス７を備えている。
【００１６】
上ウインドーガラス支持枠２は、図２と図３に示すように、室内側縦壁２０と室外側縦壁２１と横壁２２とで断面上向きコ字形状の長尺材で、横壁２２の下面が上ウインドーガラス支持枠２の下面２ａである。
横壁２２にガラス取付用の下向きに開口した溝２３を有している。
ウインドーガラス４の上縁部が溝２３に挿入し、室内外側のシール材２４で水密、気密することで、ウインドーガラス４の上縁部を上ウインドーガラス支持枠２に取り付けている。
上ウインドーガラス支持枠２は、室内側縦壁２０の上部と室外側縦壁２１の上部を天井躯体１０に図示しない固着手段で固着される。
天井躯体１０を仕上材１１で仕上げ、天井としている。
仕上材１１の下面１１ａが天井面で、天井面と上ウインドーガラス支持枠２の下面２ａとは同一高さ、つまり面一に連続する。
なお、同一高さとは若干の高低差がある場合を含むものである。
【００１７】
このようであるから、室外から室内を見たときに上ウインドーガラス支持枠２が邪魔にならないので、見通しが良い。
【００１８】
下ウインドーガラス支持枠３は、図２と図４に示すように、枠本体３０と押縁３１とでガラス取付用の上向きに開口した溝３２を形成している。
溝３２にウインドーガラス４の下縁部が挿入し、室内外側のシール材３３で気密、水密することで、ウインドーガラス４の下縁部を下ウインドーガラス支持枠３に取り付けている。
枠本体３０は、室内側縦壁３４と、室内側縦壁３４の上端に室外側に向けて水平に設けた横壁３５と、横壁３５の室外側寄りに下向きで室外側に向けて設けた室外側縦壁３６と、室外側縦壁３６に室外側に向けて設けた押縁取付壁３７を有している。
室内側縦壁３４と室外側縦壁３６が床１２に固着して取り付けられる。
【００１９】
押縁３１は室内側縦片３１ａと室外側縦片３１ｂと横片３１ｃで下向きコ字形状で、室内側縦片３１ａ、室外側縦片３１ｂの下端部を押縁取付壁３７に係合することで、取り付け、押縁３１は取り付け、取り外し自在である。押縁３１はウインドーガラス４よりも室外側において押縁取付壁３７に取り付けられる。つまり、枠本体３０の室外側部位に押縁３１が取り付けられている。
【００２０】
ウインドーガラス４は次のようにして取り付けることができる。
押縁３１を取り外した状態で、ウインドーガラス４を垂直に対して斜めとし、その上縁部を上ウインドーガラス支持枠２の溝２３内に挿入し、ウインドーガラス４を垂直として下縁部を枠本体３０の溝形成部（横壁３５の室外側突出部３５ａ）に当接する。
この状態で押縁３１を枠本体３０に取り付け、上下ウインドーガラス支持枠２，３の溝２３、溝３２とウインドーガラス４との間にシール材２４，３３を装着することで、ウインドーガラス４の上縁部と下縁部とを上下ウインドーガラス支持枠２，３間に渡って取り付けできる。
【００２１】
このようにしてウインドーガラス４を上下ウインドーガラス支持枠２，３間に渡って取り付けできるから、上ウインドーガラス支持枠２を天井に設置し、下ウインドーガラス支持枠３を床に設置した後に、ウインドーガラス４を取り付けできる。
【００２２】
上リブガラス支持枠５は図３と図５に示すように、横壁５０と、横壁５０の下面における幅方向両側に下向きに設けた一対の下向部５１とを有し、横壁５０と一対の下向部５１とでガラス取付用の下向きに開口した溝５２を有している。
【００２３】
図２に示すように、上リブガラス支持枠５の上下方向の寸法（つまり、高さ）は、上ウインドーガラス支持枠２の上下方向の寸法（つまり、高さ）と同一である。
上リブガラス支持枠５の室外側端５ｂは、上ウインドーガラス支持枠２の室内側縦壁２０（室内側端２ｂ）に当接し、図３に示す連結金具２５を用いて上ウインドーガラス支持枠２と上リブガラス支持枠５を連結する。
【００２４】
図５に示すように、リブガラス７の上縁部は溝５２内に挿入し、幅方向一対のシール材５３で水密、気密することで、リブガラス７の上端部が上リブガラス支持枠５に取り付けられる。
下向部５１は、横壁５０に設けた一対の下向壁５１ａと、一対の下向壁５１ａの下端部に設けた下壁５１ｂとで上向きコ字形状で、上横壁５０とで中空部を形成している。下壁５１ｂが上リブガラス支持枠５の下面５ａである。
横壁５０に設けた一対の鉤形の取付片５４を、図示しない固着部材で天井躯体１０に固着し、上リブガラス支持枠５を天井に配置する。
【００２５】
上リブガラス支持枠５の下面５ａと天井面１１ａとは同一高さ、つまり面一に連続し、上ウインドーガラス支持枠２の下面２ａと上リブガラス支持枠５の下面５ａと天井面１１ａは面一に連続している。
なお、同一高さとは若干の高低差がある場合を含むものである。
このようであるから、室内から天井を見たときに上リブガラス支持枠５が目立つことがなく、室内の天井部分の見栄えが良い。
【００２６】
下リブガラス支持枠６は、図４、図５、図６に示すように、枠本体６０と、枠本体６０の上面における幅方向両側に、取り付け、取り外し自在に取り付けた幅方向一対の押縁６１とを備え、枠本体６０と一対の押縁６１とでガラス取付用の上向きに開口した溝６２を形成している。
【００２７】
図２に示すように、下リブガラス支持枠６の室外側端６ｂは下ウインドーガラス支持枠３の枠本体３０の室内側縦板３４（室内側端３ｂ）に当接し、図４に示す連結金具３８を用いて下ウインドーガラス支持枠３と下リブガラス支持枠６を連結する。
【００２８】
図５に示すように、リブガラス７の下縁部は、下リブガラス支持枠６の溝６２内に挿入し、幅方向一対のシール材６３で気密、水密することで、リブガラス７の下縁部が下リブガラス支持枠６に取り付けられる。
リブガラス７は枠本体６０の上面にセッティングブロック６４を介在して載置してある。
【００２９】
枠本体６０は、横壁６５と、横壁６５の幅方向端に下向きに設けた一対の縦壁６６とで下向きコ字形状で、横壁６５の幅方向両側に、一対の押縁取付片６７がそれぞれ設けてある。
押縁６１は、幅方向に離隔した２つの縦壁６８と、２つの縦壁６８の上端を連結する連結壁６９とで下向きコ字形状で、２つの縦壁６８の下端部が一対の押縁取付片６７に係脱自在に係合することで、押縁６１は本体６０に取り付けられる。
【００３０】
リブガラス７は次のようにして取り付けることができる。
下リブガラス支持材６の押縁６１を取り外した状態で、リブガラス７の上縁部を上リブガラス支持枠５の溝５２内に挿入し、リブガラス７の下端部を下リブガラス支持材６の枠本体６０の横壁６５（上面）に設けたセッティングブロック６４に載置する。
枠体６０に押縁６１を取り付ける。
シール材５３，６３をそれぞれ設ける。
【００３１】
このようにしてリブガラス７を上下リブガラス支持材６，７間に渡って取り付けできるから、上リブガラス支持枠６を天井に設置し、下リブガラス支持枠７を床に設置した後に、リブガラス７を取り付けできる。
【００３２】
上下ウインドーガラス支持枠２，３及び上下リブガラス支持枠５，６を天井、床に設置した後に、ウインドーガラス４、リブガラス７を取り付けできるので、建物工事の際に各支持枠を天井、床にそれぞれ設置し、その後に各ガラスを取り付けてガラス壁体を建物に取り付けることができる。
これにより、各支持枠の設置は建物工事と同時に実施し、建物工事完了後の任意の時期に各ガラスを取り付けてガラス壁体を完成することができ、ガラス壁体の取り付けのために建物工事が休止したり、遅れたりすることがない。
【００３３】
図２と図７に示すように、リブガラス７の室外側端７ａはウインドーガラス４の室内側面４ａにシール材１３を介して接し、ウインドーガラス４が風圧で室内側に変位することを抑制し、ウインドーガラス４の耐風圧強度を確保している。
上ウインドーガラス支持枠２の溝２３は室内側縦壁２０（つまり、室内側部２ｂ）よりも室外側寄りで、下ウインドーガラス枠３の溝３２は枠本体３０の室内側縦壁３４（室内側部３ｂ）よりも室内側寄りである。
このために、リブガラス７の室外側端７ａは上下ウインドーガラス支持枠２，３の室内側部２ｂ，３ｂよりも室外側寄りとしなければならない。
【００３４】
そこで、図２と図３に示すように、上ウインドーガラス支持枠２の溝２３を形成する室内側溝形成壁２３ａ、横壁２２の溝２３より室内側部位２２ａ、室内側縦壁２０の下寄り部位２０ａ、つまりウインドーガラス４よりも室内側部位に、リブガラス７が挿通する切欠部２ｃを、室内側縦壁２０と溝２３の室内側溝形成壁２３ａと連続して形成する。
【００３５】
図２と図４に示すように、下ウインドーガラス支持枠３の枠本体３０における横壁３５、室内側縦壁３４の上部寄り部位３４ａ、つまりウインドーガラス４よりも室内側部位に、リブガラス７が挿通する切欠部３ｃを、室内側縦壁３４と溝３２まで連続して形成する。
【００３６】
そして、リブガラス７の上縁部を上リブガラス支持枠５の溝５２内に挿入し、下縁部を下リブガラス支持枠６のセッティングブロック６４に載置し、リブガラス７を上下リブガラス支持枠５，６に室内外側方向に移動自在に支持し、リブガラス７を上下ウインドーガラス支持枠２，３の切欠部２ｃ，３ｃを通してウインドーガラス４に向けて移動する。リブガラス７の室外側端７ａをウインドーガラス４の室内側面４ａに接近して両者の間にシール材を設けるための隙間を形成し、その隙間にシール材１３、例えば湿式シールを充填して設ける。
【００３７】
このようにすることで、各支持枠を天井、床に設置した後に、リブガラス７を取り付け、リブガラス７の室外側端７ａをウインドーガラス４の室内側面４ａにシール材１３を介して接することができる。
【００３８】
図７に示すように、下ウインドーガラス支持枠３の溝３２と、枠本体３０の切欠部３ｃとはＴ字形状に連続し、枠本体３０の切欠部３ｃの幅と、下リブガラス支持枠６の溝６２の幅は同一で、切欠部３ｃと溝６２は一直線状に連続している。
下リブガラス支持枠６の溝６２とリブガラス７との間に装着したシール材６３は、枠本体３０の切欠部３ｃとリブガラス７との間の隙間まで連続して装着し、さらに、下ウインドーガラス支持枠３の溝３２とウインドーガラス４の室内側面４ａとの間のシール材３３と連続している。
なお、図示は省略するが、上ウインドーガラス支持枠２の溝２３と切欠部２ｃはＴ字形状に連続し、切欠部２ｃと上リブガラス支持枠５の溝５２は一直線に連続し、シール材５３は切欠部２ｃとリブガラス７との間の隙間まで連続して装着してあり、このシール材５３はシール材２４と連続している。
【００３９】
図２に示すように、上リブガラス支持枠５の室外側端５ｂと室内側端５ｃとの間の寸法、つまり長さはリブガラス７の室外側端７ａと室内側端７ｂとの間の寸法、つまり、リブガラスの長さよりも長い。
これにより、上ウインドーガラス支持枠２と天井面１１ａとの間にリブガラス７の長さよりも長い上リブガラス支持枠５が存在するので、その上リブガラス支持枠５の溝５２にリブガラス７の上縁部の全長を挿入することができる。
【００４０】
下リブガラス支持枠６の室外側端６ｂと室内側端６ｃとの間の寸法、つまり下リブガラス支持枠６の長さは、上リブガラス支持枠５の長さよりも短いが、下リブガラス支持枠６の長さは、リブガラス７をウインドーガラス４にシール材１３を介して連続した取付位置のときに、リブガラス７の下ウインドーガラス支持枠３の室内側部３ｂから室内側に張り出した部位の長さよりも長くしてある。
これにより、下リブガラス支持枠６がリブガラス７の室内側端７ｂから大きく張り出すことがなく、床の見栄えが悪くなることがないと共に、下リブガラス支持枠６が邪魔になることもない。
【００４１】
下リブガラス支持枠６の長さが上リブガラス支持枠５の長さより短いので、リブガラス７の上縁部を上リブガラス支持枠５の溝５２に挿入したときに、リブガラス７の室内側部位が下リブガラス支持枠６の室内側端６ｃから室内側に突出するが、リブガラス７の室外側部位の下端面がセッティングブロック６４に載置するので、リブガラス７の取付けに何ら問題がない。
なお、下リブガラス支持枠６の長さは、上リブガラス支持枠５の長さと同じでも良いし、それより長くても良い。
【００４２】
図２に示すように、上リブガラス支持枠５及び下リブガラス支持枠６のリブガラス７の室内側端７ｂから室内側方に突出した室内側部位には荷重受け部材８がそれぞれ取り付けてある。
荷重受け部材８は、図８、図９に示すように、横片８０と縦片８１でＬ字形の取付金具８２と、縦片８１に接着等により固着した荷重受け８３を備えている。
上リブガラス支持枠５の溝５２のリブガラス７の室内側端７ｂから室内側に突出した室内側部位内に荷重受け部材８を設け、横壁５０の下面に横片８０を接し、横片８０からねじ８４を横壁５０の上面にビス止めした裏板８５に螺合し、荷重受け部材８を上リブガラス支持枠５の溝５２内に取り付けてある。
荷重受け８３がリブガラス７の室内側端７ｂの上部寄りに当接している。
下リブガラス支持枠６の溝６２内に荷重受け部材８を設け、枠本体６０の横壁６５に横片８０を接し、横片８０からねじ８４を横壁６５の下面にビス止めした裏板８５に螺合し、荷重受け部材８を下リブガラス支持枠６の溝６２内に取り付けてある。
荷重受け８３がリブガラス７の室内側端７ｂの下部寄りに当接している。
【００４３】
このようであるから、リブガラス７に負荷する室内側方に向かう力を上下リブガラス支持枠５，６に取り付けた荷重受け部材８で支持する。これにより、ウインドーガラス４の耐風圧強度を一層強いものとすることができる。
【００４４】
図２に示すように、上リブガラス支持枠５の溝５２におけるリブガラス７の室内側端７ｂから室内側方に突出した室内側部位に溝塞ぎ材９を取り付け、溝塞ぎ材９で溝５２を閉塞している。
溝塞ぎ材９は、図３と図８に示すように、横片９ａと一対の縦片９ｂで上向きコ字形状で、一対の縦片９ｂを溝５２の内面（下向部５１の下向壁５１ａ）に係止することで、溝塞ぎ材９を溝５２の開口縁に取り付けてある。溝塞ぎ材９とリブガラス７の室内側端７ｂとの間をシール材５３でシールしている。
これにより、荷重受け部材８を溝塞ぎ材９が隠蔽するので、荷重受け部材８が見えることがない。
【００４５】
図２、図３、図８に示すように、上リブガラス支持枠５の室内側端面に小口蓋８６をビス８６ａで取り付け、上リブガラス支持枠５の溝５２及び下向部５１の中空部を小口蓋８６で閉塞してある。
上リブガラス支持枠５１にビスホールがないので、下向部５１の中空部内にブラケット８７を挿入し、ビス８７ａで横壁５０に固定する。このブラケット８７にビス８６ａを螺合して小口蓋８６を取り付けている。
【００４６】
図２、図４、図６、図９に示すように、下リブガラス支持枠６の枠本体６０の室内側端面に小口蓋８８を、枠本体６０のビスホール６０ａに螺合するビス８８ａで取り付けてある。
下リブガラス支持枠６の押縁６１は枠本体６０より短く、枠本体６０の荷重受け部材８を取り付けた部位は露出しているので、枠本体６０の横壁６５にキャップ８９を取り付けて見栄えを良くしている。
キャップ８９は、上面板８９ａと、幅方向一対の側面板８９ｂと、室内面板８９ｃと、幅方向両側寄りの一対の下面板８９ｄと、下面板８９ｄと上面板８９ａを連続する一対の縦板８９ｅとを備え、上面板８９ａに４つの突起８９ｆを室外側方に向けて設け、一対の下面板８９ｄに係合片８９ｇを下向きに設けてある。
そして係合片８９ｇを枠本体６０の押縁取付片６７に係合し、２つの突起８９ｆを押縁６１の縦壁６８の内側面に接することで、キャップ８９を取り付けている。
キャップ８９が押縁６１に接し、キャップ８９とリブガラス７の室内側端７ｂとの間をシール材６３でシールしている。
これにより、荷重受け部材８が見えることがない。
【００４７】
図３に示すように、上ウインドーガラス支持枠２の切欠部２ｃを形成した部位にシール材受け９０を取り付ける。
シール材受け９０は横片９１と一対の縦片９２とで下向きコ字形状で、上リブガラス支持枠５の溝５２と同一幅の凹部９３を有している。
シール材受け９０は、上ウインドーガラス支持枠２の室内側縦壁２０と、横板２２の室内側部位２２ａ、室内側溝形成壁２３ａとより成る上向き凹部２ｄ内に設けられ、シール材受け９０の凹部９３が上ウインドーガラス支持枠２の溝２３と上リブガラス支持枠５の溝５２とを連続する。
これにより、シール材受け９０の縦片９２とリブガラス７の上部との間にシール材５３を設けることができ、シール材５３を湿式シール材とすることが可能である。
【００４８】
図４に示すように、下ウインドーガラス支持枠３の切欠部３ｃを形成した部分にシール受け９１が取り付けられる。
シール受け９１は、横板９１ａの両端に縦板９１ｂを設け、各縦板９１ｂに取付板９１ｃを設けた形状で、シール受け９１は上向き凹部９１ｄを有している。
シール受け９１は、下ウインドーガラス支持枠３の枠本体３０の室外側縦板３４と室外側縦板３６との間に設けられ、上向き凹部９１ｄで下ウインドーガラス支持枠３の溝３２と下リブガラス支持枠６の溝６２を連続している。
これにより、シール材受け９１の縦板９１ｂとリブガラス７の下部との間にシール材６３を設けることができ、シール材６３を湿式シール材とすることが可能である。
【符号の説明】
【００４９】
１ａ…ウインドー部、１ｂ…補強用リブ部、２…上ウインドーガラス支持枠、２ａ…下面、２ｃ…切欠部、３…下ウインドーガラス支持枠、３ｃ…切欠部、４…ウインドーガラス、４ａ…室内側面、５…上リブガラス支持枠、５ａ…下面、６…下リブガラス支持枠、７…リブガラス、７ａ…室外側端、７ｂ…室内側端、８…荷重受け部材、９…溝塞ぎ材、１１ａ…天井面、１２…床、２３…溝、３０…枠本体、３１…押縁、３２…溝、５２…溝、６０…枠本体、６１…押縁、６２…溝、８９…キャップ。
【図１】
2015135003.tif 000003
【図２】
2015135003.tif 000004
【図３】
2015135003.tif 000005
【図４】
2015135003.tif 000006
【図５】
2015135003.tif 000007
【図６】
2015135003.tif 000008
【図７】
2015135003.tif 000009
【図８】
2015135003.tif 000010
【図９】
2015135003.tif 000011